(57)【要約】      （修正有）【課題】照明の品質に影響を与えることなく、異なる長さや造形に応じた製作が可能な、冷陰極管照明器具の構造を提供する。【解決手段】頂部半円が不透光の管形ランプケース１０が設けられ、ランプケース内には頂面に電気部品を有し且つ底面に留め爪を有した板形ランプ台座３０が設けられ、ランプケース両端には電気部品とコード接続されたランプヘッド２０がそれぞれ嵌められる。冷陰極管５０は、留め爪によってランプ台座底面に係止されるとともに、両端の端子２１が電気部品と接続される。標準的な長さの既成の冷陰極管と照明器具の長さが丁度良い場合は、そのまま組立てられる。異なる長さや造形の特殊な照明器具と組合せる場合は、冷陰極管の余分に長い部分が垂直に上方へ折り曲げられるか、或いは斜め上方へ曲げられてランプ台座頂面に設けられる。【選択図】図２
0003195594.tif 000002
【実用新案登録請求の範囲】
【請求項１】
ランプケースと、ランプヘッドと、ランプ台座と、電気部品と、冷陰極管とからなる冷陰極管照明器具の構造であって、
前記ランプケースは、頂部半円が不透光の管体をなすとともに、前記ランプケース内には、頂面に電気部品を有し且つ底面に留め爪を有する板形の前記ランプ台座が設けられ、
更に前記ランプケース内の中央部における両側の位置には、いずれも接合溝が設けられ、
前記ランプヘッドは、前記ランプケース前後両端の開口に被せられるとともに、前記ランプヘッドには導電端子が設けられ、
前記ランプ台座は、平板形状をなすとともに、両側辺が前記ランプケースの接合溝に差込まれて接続され、且つ前記ランプ台座の頂面中央には仕切り板が設けられ、前記ランプ台座底面の両側近くには導光板が設けられ、前記ランプ台座の底面には複数の留め爪が設けられ、前記ランプ台座の前後端には欠け溝が設けられ、
前記電気部品は、前記ランプ台座頂面に設けられるとともに、コードによって前記ランプヘッドの導電端子と接続され、
前記冷陰極管は、前記留め爪によって前記ランプ台座底面に係止されるとともに、両端の導電端子がコードによって前記電気部品と接続され、
更に、前記冷陰極管の余分に長い部分は、垂直に上方へ曲げられるか、或いは斜め上方へ曲げられて前記ランプ台座頂面上に設けられ、
以上の構造により、
異なる長さや造形に柔軟に対応した照明器具をなすことを特徴とする、冷陰極管照明器具の構造。
【考案の詳細な説明】
【技術分野】
【０００１】
本考案は、照明器具の構造に関し、特に冷陰極管を光源として用いる、冷陰極管照明器具の構造に関する。
【背景技術】
【０００２】
現在の市場において、量産化されている冷陰極管は、長さが２尺及び４尺の照明器具を製作するのに適した規格サイズしかないため、もし１尺以下（１尺を含む）、或いは１尺以上２尺未満、或いは２尺以上３尺未満（２尺を含む）、或いは３尺以上４尺未満（３尺を含む）といった特殊サイズの需要があった場合には、製作することができない。よって、世界各地において異なる照明器具のサイズ設計や特注サイズに対応可能な技術があれば、幅広く利益をもたらすことができる。
【考案の概要】
【考案が解決しようとする課題】
【０００３】
そこで、本考案は、極めて精巧な構造によって、現在普遍的に量産されている管形照明器具が世界各地で異なるサイズ設計や特注サイズに対応できないという問題を解決し、規格サイズが４尺以内の冷陰極管照明器具であればいずれもスムーズに製造可能にすることにより、管形照明（光源）の実用性を高めることができる、冷陰極管照明器具の構造を提供することを目的とする。
【課題を解決するための手段】
【０００４】
上述の目的を達成するため、本考案の冷陰極管照明器具には、頂部半円が不透光の管形ランプケースが設けられる（顧客の照明器具に対する需要に応じて全透明管形ランプケース、或いは染色管形ランプケースをなすことも可能である）。また、ランプケース内には、頂面に電気部品を有し且つ底面に留め爪を有した板形ランプ台座が設けられる（板形ランプ台座は、固定して支えることが可能な素材から作られる）。
更に、ランプケース両端には、それぞれコードによって電気部品と接続されたランプヘッドが嵌められる（或いは照明器具の造形に応じて一端のランプヘッドのみがコード接続されても良い）。冷陰極管は、留め爪によってランプ台座底面に係止されるとともに、両端の端子がコードによって電気部品と接続される。標準的な長さの既成の冷陰極管と照明器具の長さが丁度良い場合は、そのまま組立てることができる。また、異なる長さや造形の特殊な照明器具と組合せる場合は、冷陰極管の余分に長い部分が垂直に上方へ折り曲げられるか、或いは斜め上方へ曲げられてランプ台座頂面上に設けられる。
【考案の効果】
【０００５】
以上の構造によってなる本考案は、照明器具の照射面から生じる光線が不均一になって照明の品質に影響を与えることを防ぐとともに、異なる長さや造形に柔軟に対応した照明器具を製作するという目的を達成することができる。
【図面の簡単な説明】
【０００６】
【図１】本考案の組合せを示した斜視図である。
【図２】本考案の分解図である。
【図３】本考案の分解仰視図である。
【図４】本考案の実施例１を示した概略図である。
【図５】本考案の実施例２を示した概略図である。
【考案を実施するための形態】
【０００７】
（実施例１）
図１〜３を参照する。本考案の冷陰極管照明器具の構造は、ランプケース１０と、ランプヘッド２０と、ランプ台座３０と、電気部品４０と、冷陰極管５０とからなる。ランプケース１０は、頂部半円が不透光の管体をなす（顧客の照明器具に対する需要に応じて、全透明の管形ランプケース、或いは染色された管形ランプケースをなすことも可能である）。ランプケース１０内の中央部における両側の位置には、いずれもランプケース１０と等長の接合溝１１が設けられる。ランプヘッド２０は、ランプケース１０前後両端の開口に被せられるとともに、ランプヘッド２０には導電端子２１が設けられる。ランプ台座３０は、平板形状をなすとともに、固定して支えることが可能な素材から作られ、且つ両側辺がランプケース１０の接合溝１１に差込まれて接合される。更にランプ台座３０は、頂面中央に仕切り板３１が設けられ、底面の両側近くにランプ台座３０と等長の導光板３２が設けられる（実際の需要に応じて、反光・導光板を設けなくても良い）。またランプ台座３０底面には、複数の留め爪３３が設けられ、ランプ台座３０の前後端には、欠け溝３０１が設けられる。電気部品４０は、ランプ台座３０頂面に設けられるとともに、コードによってランプヘッド２０の導電端子２１と接続される。冷陰極管５０は、留め爪３３によってランプ台座３０底面に係止されるとともに、両端の導電端子がコードによって電気部品４０と接続される。更に特徴的な点は、長さが余った冷陰極管５０の一端或いは両端が垂直に上方へ曲げられて（或いは斜め上方へ曲げられて）から、欠け溝３０１を経由してランプ台座３０頂面上に貼合されることである。以上の構造により、量産或いは非量産、且つ特定サイズにカスタマイズされた冷陰極管照明器具の製造が可能になる。加えて、冷陰極管５０の余分に長い部分がランプ台座３０底面で曲げられて照明器具の照射面から生じる光線が不均一になり、照明の品質に影響を与えるという問題を防ぐことができる。
【０００８】
図４を参照する。本考案の冷陰極管５０は、長すぎて余った部分の両端がそれぞれ垂直に上方へ曲げられるか或いは斜め上方へ曲げられて、ランプ台座３０頂面上に設けられる。
【０００９】
（実施例２）
図５を参照する。本考案のランプ台座３０頂面中央における仕切り板３１の一側（或いは両側）には、ストッパー板３４が設けられて、より大きい沿面距離を形成する。これにより、ワット数がより高い冷陰極管５０を使用した時、管形照明と電気部品４０のコード接続部分において高圧パルスが電弧放電を引き起こすことを防ぐ。
【符号の説明】
【００１０】
１０   ランプケース
１１   接合溝
２０   ランプヘッド
２１   導電端子
３０   ランプ台座
３１   仕切り板
３２   導光板
３３   留め爪
３４   ストッパー板
３０１ 欠け溝
４０   電気部品
５０   冷陰極管
【図１】
0003195594.tif 000003
【図２】
0003195594.tif 000004
【図３】
0003195594.tif 000005
【図４】
0003195594.tif 000006
【図５】
0003195594.tif 000007